(57)【要約】【課題】本発明は、軸心方向の異なる位置に、ボール座を離間して形成することで、安定したボールの回転及びインキ流出量を得ることのできるボールペンチップを提供する。【解決手段】チップ本体に、ボール抱持室の底壁の中央に、チップ本体の後部孔に連通するインキ流通孔と、該インキ流通孔から放射状に延びるインキ流通溝とを有し、前記底壁にボールを挿置し、チップ先端部を内側にかしめることにより、ボールの一部をチップ先端縁より突出させて回転自在に抱持してなるボールペンチップであって、前記ボール抱持室が、第１ボール抱持室と、該第１ボール抱持室の後方に、前記第１ボール抱持室より小径の第２ボール抱持室とを有し、前記ボールを第１ボール抱持室及び第２ボール抱持室の底壁に挿置し、ボールを回転可能に抱持するとともに、前記第１ボール抱持室の底壁及び第２ボール抱持室の底壁に、前記ボールと略同形のボール座を形成することを特徴とする。【選択図】      図１
2012000774.tif 000002
【特許請求の範囲】
【請求項１】
チップ本体に、ボール抱持室の底壁の中央に、チップ本体の後部孔に連通するインキ流通孔と、該インキ流通孔から放射状に延びるインキ流通溝とを有し、前記底壁にボールを挿置し、チップ先端部を内側にかしめることにより、ボールの一部をチップ先端縁より突出させて回転自在に抱持してなるボールペンチップであって、前記ボール抱持室が、第１ボール抱持室と、該第１ボール抱持室の後方に、前記第１ボール抱持室より小径の第２ボール抱持室とを有し、前記ボールを第１ボール抱持室及び第２ボール抱持室の底壁に挿置し、ボールを回転可能に抱持するとともに、前記第１ボール抱持室の底壁及び第２ボール抱持室の底壁に、前記ボールと略同形のボール座を形成することを特徴とするボールペンチップ。
【請求項２】
前記第１ボール抱持室のボール座が、前記チップ本体の軸心から垂直に延びるボールの直径部分を含むことを特徴とする請求項１に記載のボールペンチップ。
【発明の詳細な説明】
【技術分野】
【０００１】
本発明は、チップ本体に、ボール抱持室の底壁の中央に形成したインキ流通孔と、該インキ流通孔から放射状に延びるインキ流通溝とを有し、前記底壁にボールを挿置し、チップ先端部を内側にかしめることにより、ボールの一部をチップ先端縁より突出させて回転自在に抱持してなるボールペンチップに関する。
【背景技術】
【０００２】
従来から、底壁の中央にインキ流通孔、該インキ流通孔から放射状に延びるインキ流通溝を有するボール抱持室内にボールを挿置し、チップ先端部を内側にかしめることにより、ボールの一部をチップ先端部より突出させて回転自在に抱持してなるボールペンチップについてよく知られている。
【０００３】
こうした、従来のボールペンチップにおいて、特開２０００−７１６７２号公報「ボールペンチップ」のように、ボール抱持室の底壁に、ボールと略同形のボール座を設け、耐摩耗性等、高荷重での性能を向上してなるボールペンチップも、数多く提案されている。
【０００４】
また、インキ流通孔の大きさや特開２００１−２０５９６８号公報「ボールペンチップ」のように、インキ流通溝の大きさ、特にインキ流通溝の開口面積は、ボールへのインキ供給量に影響を及ぼすものである。
【先行技術文献】
【特許文献】
【０００５】
【特許文献１】特開２０００−７１６７２号公報
【特許文献２】特開２００１−２０５９６８号公報
【発明の概要】
【発明が解決しようとする課題】
【０００６】
しかし、特許文献２等、従来のボールペンチップでは、インキ供給量を多くする等を目的とし、インキ流通溝の開口面積を大きくすると、ボールと当接するボール座の面積が減少する問題を有する。
【０００７】
その反面、単にボール座の面積を大きくすると、ボール座を形成する加工が困難になるとともに、ボール座を形成する時に発生する変形部がインキ流通溝を閉鎖して、ボールへのインキ供給量が著しく低下する恐れがあった。
【０００８】
本発明はこれらの従来技術に鑑みてなされたものであって、軸心方向の異なる位置に、ボール座を離間して形成することで、安定したボールの回転及びインキ流出量を得ることのできるボールペンチップを提供することにある。
【課題を解決するための手段】
【０００９】
本発明は、前記問題を解決するために、チップ本体に、ボール抱持室の底壁の中央に、チップ本体の後部孔に連通するインキ流通孔と、該インキ流通孔から放射状に延びるインキ流通溝とを有し、前記底壁にボールを挿置し、チップ先端部を内側にかしめることにより、ボールの一部をチップ先端縁より突出させて回転自在に抱持してなるボールペンチップであって、前記ボール抱持室が、第１ボール抱持室と、該第１ボール抱持室の後方に、前記第１ボール抱持室より小径の第２ボール抱持室とを有し、前記ボールを第１ボール抱持室及び第２ボール抱持室の底壁に挿置し、ボールを回転可能に抱持するとともに、前記第１ボール抱持室の底壁及び第２ボール抱持室の底壁に、前記ボールと略同形のボール座を形成することを特徴とする。
【００１０】
また、前記第１ボール抱持室のボール座が、前記チップ本体の軸心から垂直に延びるボールの直径部分を含むことを特徴とする。
【００１１】
本願発明の請求項１の構成によれば、ボールペンチップは、前記ボール抱持室が、第１ボール抱持室と、該第１ボール抱持室の後方に、前記第１ボール抱持室より小径の第２ボール抱持室とを有し、前記ボールを第１ボール抱持室及び第２ボール抱持室の底壁に挿置し、ボールを回転可能に抱持するとともに、前記第１ボール抱持室の底壁及び第２ボール抱持室の底壁に、前記ボールと略同形のボール座を形成するため、単に座の面積を増加するだけでなく、軸心方向で離間した位置にボール座を有するため、ボールの回転が安定する。
【００１２】
また、第１ボール抱持室と第２ボール抱持室を形成することによって、インキを溜める空間が、軸方向に異なる位置に形成することができるので、良好なインキ吐出を得ることができる効果を奏する。
【００１３】
また、本願発明の請求項２の構成によれば、前記第１ボール抱持室のボール座が、前記チップ本体の軸心から垂直に延びるボールの直径部分を含むため、ボールのガタツキを効果的に抑えるため、安定したボールの回転を得ることができる。
【００１４】
尚、本発明のボールペンチップは、ステンレス、アルミニウム、黄銅等の金属製を用いることが最も好ましい。また、ボール座の総面積は、特に限定されるものではないが、ボール表面積の２０〜４０％とすることが好ましい。
【発明の効果】
【００１５】
本発明は、軸心方向の異なる位置に、ボール座を離間して形成することで、安定したボールの回転及びインキ流出量を得ることのできるボールペンチップを提供することができた。
【図面の簡単な説明】
【００１６】
【図１】実施例１のボールペンチップの一部省略した要部拡大縦断面図である。
【図２】図１におけるボールを省略したＡ−Ａ断面図である。
【図３】図１における第１ボール抱持室及び第２ボール抱持室を製作後を示す図である。
【図４】図３におけるＢ−Ｂ断面図である。
【発明を実施するための形態】
【実施例１】
【００１７】
図１、図２に示す実施例１のボールペンチップ１は、ステンレス鋼線材からなるチップ本体２に、第１ボール抱持室３と、該第１ボール抱持室３の後方に、前記第１ボール抱持室３より小径の第２ボール抱持室６を有し、第２ボール抱持室６の中央にインキ流通孔９と、このインキ流通孔９に連通する放射状に延び、チップ後部孔１１に達しないインキ流通溝１０を８本形成し、第１ボール抱持室３と第２ボール抱持室６に連通して形成するとともに、第1ボール抱持室３の底壁４のボール座５及び第２ボール抱持室６の底壁７のボール座８に、φ０．７ｍｍのタングステンカーバイド製のボール１２を載置し、チップ先端部２ａを内側にかしめことにより、ボール１２の一部がチップ先端縁より突出するように回転自在に抱持する。
【００１８】
ボールペンチップ１は、φ２．３ｍｍ、硬度が２３０Ｈｖ〜２８０Ｈｖのステンレス鋼線材を所望の長さに切断し、図３、図４に示すように、第１ボール抱持室３及び第２ボール抱持室６、インキ流通孔９、後部孔１１を製作後、インキ流通溝１０及び第１ボール抱持室３の底壁４及び第２ボール抱持室６の底壁７に、ハンマーリング加工によって、ボールと略同形のボール座５、８を形成してある。
【００１９】
第１ボール抱持室３のボール座５は、図１に示すように、第１ボール抱持室３の底壁４から第２ボール抱持室６にかけて形成され、チップ本体２の軸心から垂直に延びるボール１２の直径部分（ＣＬ）を含む位置に形成してあり、第１ボール抱持室３の底壁４及び第２ボール抱持室６の底壁７に形成したボール座５、８の総面積は、ボール１２の表面積の２５％であった。また、前後方向のボール１２のクリアランスは、１０μｍでであった。
【００２０】
また、筆記時の筆記具用インキ（図示せず）の流路は、後部孔１１からインキ流通孔９及びインキ流通溝１０を通じて第２ボール抱持室６へ通じ、さらに、インキ流通孔９及びインキ流通溝１０、第２ボール抱持室６から、第１ボール抱持室３へ連通して、チップ先端部に流れる。
【産業上の利用可能性】
【００２１】
本発明のボールペンチップは、使用するインキに限定されることなく使用可能で、油性ボールペン用インキや水性ボールペン用インキ、剪断減粘性を付与したインキ、修正用インキなど、インキの種類に関わらず使用することができるため、ボールを筆記媒体とするボールペンチップとして広く利用可能である。
【符号の説明】
【００２２】
１  ボールペンチップ
２  チップ本体
２ａ  先端部
３  第１ボール抱持室
４  底壁
５  ボール座
６  第２ボール抱持室
７  底壁
８  ボール座
９  インキ流通孔
１０  インキ流通溝
１１  後部孔
１２  ボール
【図１】
2012000774.tif 000003
【図２】
2012000774.tif 000004
【図３】
2012000774.tif 000005
【図４】
2012000774.tif 000006